(57)【要約】【課題】電子部品などの収納対象物のピックアップ性に優れ、かつ収納した複数の収納対象物を一括して上下反転させて移し換えできる収納トレイおよび収納装置を提供することを目的とする。またそのような収納トレイをソフトトレイとして形成することを目的とする。【解決手段】収納トレイを、電子部品６などの収納対象物を載置可能な収納台２と、収納台２の外周に沿って収納台２よりも上方に突出して形成された複数の凸部４と、収納台２の外周に沿って前記複数の凸部４の間に収納台２よりも下方に窪んで形成された凹部５とからなる収納部３を主面に有し、裏面に前記主面と逆の凹凸形状を有した構造とする。【選択図】  図１
2006076617.tif 000002
【特許請求の範囲】
【請求項１】
収納対象物を載置可能な収納台と、前記収納台の外周に沿って収納台よりも上方に突出して形成された凸部と、前記収納台の外周に沿って収納台よりも下方に窪んで形成された凹部とからなる収納部を主面に有し、裏面に前記主面と逆の凹凸形状を有した収納トレイ。
【請求項２】
収納対象物を載置可能な収納台と、前記収納台の一対の対角のそれぞれの外周に沿って収納台よりも上方に突出して形成された凸部と、前記収納台の他の一対の対角のそれぞれの外周に沿って収納台よりも下方に窪んで形成された凹部とからなる収納部を主面に有し、裏面に前記主面と逆の凹凸形状を有した収納トレイ。
【請求項３】
凸部と凹部とが端部を共有して収納台を囲んで形成された請求項１または請求項２のいずれかに記載の収納トレイ。
【請求項４】
収納台と凸部と凹部との境界が全て傾斜面として形成された請求項１または請求項２のいずれかに記載の収納トレイ。
【請求項５】
収納台の各辺の中央部に凸部と凹部との境界が配置された請求項１または請求項２のいずれかに記載の収納トレイ。
【請求項６】
収納台の一対の対角部分で収納台の端部の位置が収納対象物の外形よりも大きく設定され、他の一対の対角部分で収納台の端部の位置が収納対象物の外形よりも小さく設定された請求項２記載の収納トレイ。
【請求項７】
収納台を囲んだ凸部と凹部とが収納台の上面に対して対称に突出し窪み、収納台の中心を通る収納台の上面に垂直な平面に対して対称に配置された請求項１または請求項２のいずれかに記載の収納トレイ。
【請求項８】
収納台内に凹部が形成された請求項１または請求項２のいずれかに記載の収納トレイ。
【請求項９】
収納台内の凹部の裏面が収納台の外周の凹部の裏面よりも下方に位置する請求項８記載の収納トレイ。
【請求項１０】
収納台に貫通穴が形成された請求項１または請求項２のいずれかに記載の収納トレイ。
【請求項１１】
収納台内の凹部に収納台の裏面側から主面側に向けて貫通穴が打ち抜かれた請求項８記載の収納トレイ。
【請求項１２】
収納台の凹部内に収納台上面よりも低い凸部が形成され、この凸部の先端に貫通穴が形成された請求項８記載の収納トレイ。
【請求項１３】
収納台の外周の凹部は、隣接する凸部とともに収納台に対して収納対象物を載置し取出すクランプ爪の挿入部となる隙間を形成している請求項１または請求項２のいずれかに記載の収納トレイ。
【請求項１４】
複数の収納トレイを積み重ねてなる収納装置であって、互いに上下に積み重ねられる第１の収納トレイと第２の収納トレイはそれぞれ、収納対象物を載置可能な収納台と、前記収納台の一対の対角のそれぞれの外周に沿って収納台よりも上方に突出して形成された凸部と、前記収納台の他の一対の対角のそれぞれの外周に沿って収納台よりも下方に窪んで形成された凹部とからなる収納部を主面に有し、裏面に前記主面と逆の凹凸形状を有し、前記第１の収納トレイの主面と第２の収納トレイの主面とは同一形状であり、前記第１の収納トレイと第２の収納トレイを主面を同一方向に向けて積み重ねた時に、第１の収納トレイの主面の凹凸形状と前記第２の収納トレイの裏面の凹凸形状とが噛み合い、第１の収納トレイの収納台と第２の収納トレイの収納台の裏面との間に収納対象物が保持される収納装置。
【請求項１５】
複数の収納トレイを積み重ねてなる収納装置であって、互いに上下に積み重ねられる第１の収納トレイと第２の収納トレイはそれぞれ、収納対象物を載置可能な収納台と、前記収納台の一対の対角のそれぞれの外周に沿って収納台よりも上方に突出して形成された凸部と、前記収納台の他の一対の対角のそれぞれの外周に沿って収納台よりも下方に窪んで形成された凹部とからなる収納部を主面に有し、裏面に前記主面と逆の凹凸形状を有し、前記第１の収納トレイの主面と第２の収納トレイの主面とは鏡対称の形状であり、前記第１の収納トレイと第２の収納トレイを主面どうし対向させて積み重ねた時に、第１の収納トレイの主面の凹凸形状と前記第２の収納トレイの主面の凹凸形状とが噛み合い、第１の収納トレイの収納台と第２の収納トレイの収納台の裏面との間に収納対象物が保持される収納装置。
【発明の詳細な説明】
【技術分野】
【０００１】
本発明は電子部品などを収納する収納トレイおよび収納装置に関し、特に半導体パッケージ等の電子部品を収納するトレイの構造に関する。
【背景技術】
【０００２】
近年、半導体パッケージ等の電子部品の小型化、大量生産、低コスト化が求められるのみならず、その包装形態もより合理的、低コストにすることが求められている。
半導体パッケージ等には一般にトレイによる包装形態が用いられる。トレイの格納ポケットに製品を収納するとともにトレイを積み重ね、積み重なったトレイを結束したうえで、更にカートンケース等の外箱に入れて梱包するのである。
【０００３】
この種のトレイには大別してハードトレイとソフトトレイがある。ハードトレイはトランスファーモールドにより形成される。この成形方法は、ポリスチレンもしくはポリプロピレン等のプラスチックを加熱軟化させた後に上下型内に圧入して硬化させるもので、高剛性、複雑な立体構造物を高精度に形成できる。
【０００４】
ソフトトレイは真空成形法で形成される。この成形方法は、ポリスチレン等のプラスチックの平板を高温で軟化させた状態で、その片側と型との間を真空引きして型に密着させるもので、平板を折り曲げる成形法と言える。ソフトトレイは、ハードトレイに比べて、加工精度が低くて、複雑な立体構造は形成できず、トレイ厚が薄いため強度が低いという欠点がある。その反面、軽量、安価という長所があり、更に金型が非常に安価、短納期にて入手できるため、柔軟に対応できるという利点もある。
【０００５】
これらのことから、外部リードを有する半導体パッケージや精度を必要とする電子部品にはハードトレイを用い、外部リードを有しない半導体パッケージや特に精度を要さない電子部品には、コストや納期、柔軟性等の観点から、できる限りソフトトレイを用いたいという強い要望がある。
【０００６】
一方、半導体パッケージ等は、主面を上向きにして収納したい場合と裏面を上向きにして収納したい場合とがあり、その向きに応じて電子部品を１個づつ表裏反転させて別途のトレイに移し変える作業が必要であった。たとえばＬＧＡやＢＧＡ等の面実装タイプの半導体パッケージは、主面にモールド部による本体があり、裏面に外部端子が並んでいるため、主面と裏面のいずれを上向きにするかによって、１個づつ表裏反転させて別途のトレイに移し換える作業を行っている。そのため、その煩雑な作業を回避したいという特に強い要望がある。
【０００７】
この要望に応えるトレイはたとえば特許文献１に記載されている。このトレイを図９に簡略に示す。図中、（ａ）はトレイの主面の平面図、（ｂ）は同裏面の平面図、（ｃ）は（ａ）におけるＡ−Ａ断面図、（ｄ）は積み重ね図である。
【０００８】
トレイ２０はトランスファーモールドにより形成されたハードトレイであり、主面に第１の収納部２１を有し、裏面に第２の収納部２２を有している。第１の収納部２１と第２の収納部２２とは互いに背反する位置に同一大きさに形成されており、前後、左右に２個ずつ並列に計４個配列されている。
【０００９】
第１の収納部２１には、矩形の格納ポケット２３の外周側に、格納ポケット２３のコーナーに沿って凸部２４がＬ形に形成され、凸部２４間は格納ポケット２３の辺中央部に沿う凹部２５となっている。第２の収納部２２には、矩形の格納ポケット２６の外周側に、第１の収納部２１の外周部の凸部２４，凹部２５と噛み合うように、格納ポケット２６の辺中央部に沿って凸部２７が形成され、凸部２７間は格納ポケット２６のコーナーに沿う凹部２８がＬ形に配されている。格納ポケット２３に臨んだ凸部２４の両側縁および格納ポケット２６に臨んだ凹部２８の両側には、トレイ厚み方向に沿って延びるリブ２９が形成されている。
【００１０】
この構造により、凸部２４，２７の内面が格納ポケット２３，２６に収納される電子部品３０の外周面に当たって、電子部品３０の平面方向の位置を規制する。またリブ２９の端部が格納ポケット２３，２６に収納された電子部品３０の主面あるいは裏面の外周縁部に当接して、格納ポケット２３，２６内における電子部品３０の高さ方向の位置を規制する。
【００１１】
図９（ｄ）に示すように、トレイ２０を上下段に積み重ねた時には、第１の収納部２１の凸部２４，凹部２５と第２の収納部２２の凹部２８，凸部２７とが互いに噛み合わさって上下段のトレイ２０が互いに位置決めされ、電子部品３０は、第１の収納部２１に部品主面が上向きにて収納されると同時に、第２の収納部２２にも収納された状態となる。このため、積み重なったトレイ２０をそのまま表裏反転させることで、電子部品３０を一括で表裏反転させて第２の収納部２２に移し換えることができる。
【特許文献１】特許２８５２８７２号公報
【発明の開示】
【発明が解決しようとする課題】
【００１２】
一般に、電子部品をトレイからピックアップして他の電子部品にマウントする際の効率的な位置決め方法として、電子部品の外周縁部を把持してそのまま他の電子部品に移載する方法が用いられる。しかしそのためには、上記した従来のトレイ２０には次のような形状上の問題がある。
【００１３】
第１に、主面の第１の収納部２１と裏面の第２の収納部２２とで格納ポケット２３，２６の周囲の凹凸形状が大きく異なっているため、電子部品３０が第１の収納部２１に入っている時と第２の収納部２２に入っている時とで電子部品３０の把持位置を変える必要がある。
【００１４】
第２に、第１の収納部２１、第２の収納部２２とも、凸部２４，凹部２５の境界あるいは凸部２７，凹部２８の境界が１辺あたり２箇所あるため、凹凸の大きさを微細にせざるをえない。そのため、サイズが小さい電子部品３０に対して、またトレイ加工精度が悪い場合に、トレイ２０を作製できなくなる。トレイ２０を作製できる場合も、凹部２５，２８のサイズが小さくなり、凹部２５，２８を通して電子部品３０をピックアップできなくなる。
【００１５】
また上記した従来のトレイ２０では、第１の収納部２１に電子部品３０が受けられている時は、電子部品３０のコーナー部にＬ形の凸部２４が当たって位置規制されるが、第２の収納部２２に電子部品３０が受けられている時は、電子部品３０の中央付近に平坦な凸部２７が当たって位置規制されることになるため、電子部品３０のガタツキがやや大きくなる。
【００１６】
さらに上記したトレイ２０は、ソフトトレイとして形成することはできないという問題がある。
トレイ２０のように表裏に異なった凸凹をソフトトレイに持たせることは不可能であり、ソフトトレイでは裏面は常に主面の凸凹に相似した凸凹形状になる。ソフトトレイを２枚形成することで、つまり主面の形状を持った第１のトレイと裏面の形状を持った第２のトレイとを形成することで、上記したトレイ２０に類似した構造とすることは可能であるが、ソフトトレイは上述したように細かな加工ができないため、上記した３つの問題はより大きくなる。
【００１７】
またソフトトレイは、裏面が常に主面の凸凹に相似した凸凹形状になるとはいえ、板厚分だけ形状のずれが生じるため、積み重ねることは困難であり、積み重ねた場合にはソフトトレイ間に挟まれて収納された電子部品のピックアップが困難になってしまう。
【００１８】
本発明は上記問題を解決するもので、電子部品などの収納対象物のピックアップ性に優れ、かつ収納した複数の収納対象物を一括して上下反転させて移し換えできる収納トレイおよび収納装置を提供することを目的とする。またそのような収納トレイをソフトトレイとして形成することを目的とする。
【課題を解決するための手段】
【００１９】
上記課題を解決するために、本発明の収納トレイは、収納対象物を載置可能な収納台と、前記収納台の外周に沿って収納台よりも上方に突出して形成された凸部と、前記収納台の外周に沿って収納台よりも下方に窪んで形成された凹部とからなる収納部を主面に有し、裏面に前記主面と逆の凹凸形状を有したことを特徴とする。
【００２０】
また本発明の収納トレイは、収納対象物を載置可能な収納台と、前記収納台の一対の対角のそれぞれの外周に沿って収納台よりも上方に突出して形成された凸部と、前記収納台の他の一対の対角のそれぞれの外周に沿って収納台よりも下方に窪んで形成された凹部とからなる収納部を主面に有し、裏面に前記主面と逆の凹凸形状を有したことを特徴とする。
【００２１】
上記した各収納トレイの構成においてさらに、凸部と凹部とが端部を共有して収納台を囲んで形成されたことを特徴とする。
また、収納台と凸部と凹部との境界が全て傾斜面として形成されたことを特徴とする。
【００２２】
収納台の各辺の中央部に凸部と凹部との境界が配置されたことを特徴とする。
収納台と凸部と凹部との境界が全て傾斜面として形成され、前記収納台の一対の対角部分で収納台の端部の位置が収納対象物の外形よりも大きく設定され、他の一対の対角部分で収納台の端部の位置が収納対象物の外形よりも小さく設定されたことを特徴とする。
【００２３】
収納台を囲んだ凸部と凹部とが収納台の上面に対して対称に突出し窪み、収納台の中心を通る収納台の上面に垂直な平面に対して対称に配置されたことを特徴とする。
収納台内に凹部が形成されたことを特徴とする。
【００２４】
収納台内の凹部の裏面が収納台の外周の凹部の裏面よりも下方に位置することを特徴とする。
収納台に貫通穴が形成されたことを特徴とする。
【００２５】
収納台内の凹部に収納台の裏面側から主面側に向けて貫通穴が打ち抜かれたことを特徴とする。
収納台の凹部内に収納台上面よりも低い凸部が形成され、この凸部の先端に貫通穴が形成されたことを特徴とする。
【００２６】
収納台の外周の凹部は、隣接する凸部とともに収納台に対して収納対象物を載置し取出すクランプ爪の挿入部となる隙間を形成していることを特徴とする。
本発明の収納装置は、複数の収納トレイを積み重ねてなる収納装置であって、互いに上下に積み重ねられる第１の収納トレイと第２の収納トレイはそれぞれ、収納対象物を載置可能な収納台と、前記収納台の一対の対角のそれぞれの外周に沿って収納台よりも上方に突出して形成された凸部と、前記収納台の他の一対の対角のそれぞれの外周に沿って収納台よりも下方に窪んで形成された凹部とからなる収納部を主面に有し、裏面は前記主面と逆の凹凸形状を有し、前記第１の収納トレイの主面と第２の収納トレイの主面とは同一形状であり、前記第１の収納トレイと第２の収納トレイを主面を同一方向に向けて積み重ねた時に、第１の収納トレイの主面の凹凸形状と前記第２の収納トレイの裏面の凹凸形状とが噛み合い、第１の収納トレイの収納台と第２の収納トレイの収納台の裏面との間に収納対象物が保持されることを特徴とする。
【００２７】
また本発明の収納装置は、複数の収納トレイを積み重ねてなる収納装置であって、互いに上下に積み重ねられる第１の収納トレイと第２の収納トレイはそれぞれ、収納対象物を載置可能な収納台と、前記収納台の一対の対角のそれぞれの外周に沿って収納台よりも上方に突出して形成された凸部と、前記収納台の他の一対の対角のそれぞれの外周に沿って収納台よりも下方に窪んで形成された凹部とからなる収納部を主面に有し、裏面は前記主面と逆の凹凸形状を有し、前記第１の収納トレイの主面と第２の収納トレイの主面とは鏡対称の形状であり、前記第１の収納トレイと第２の収納トレイを主面どうし対向させて積み重ねた時に、第１の収納トレイの主面の凹凸形状と前記第２の収納トレイの主面の凹凸形状とが噛み合い、第１の収納トレイの収納台と第２の収納トレイの収納台の裏面との間に収納対象物が保持されることを特徴とする。
【発明の効果】
【００２８】
本発明の収納トレイは、収納部を有した主面と裏面とが逆の凹凸形状なので、複数枚の収納トレイを積み重ねて収納装置を構成して、収納トレイどうしの間に対象物を収納することができる。この凹凸形状の収納トレイはソフトトレイとして構成できる。
【００２９】
互いに鏡対称をなす第１の収納トレイと第２の収納トレイを形成することで、第１の収納トレイ，第２の収納トレイを自由に積み重ねて収納装置を構成して、収納トレイどうしの間に対象物を収納することができる。
【発明を実施するための最良の形態】
【００３０】
以下、本発明の実施の形態を図面に基づいて説明する。
図１（ａ）は本発明の第１の収納トレイの平面図、図１（ｂ）、（ｃ）、（ｄ）はそれぞれ同収納トレイの図１（ａ）におけるＸ−Ｘ断面図、Ｙ−Ｙ断面図、Ｚ−Ｚ断面図、図２（ａ）（ｂ）は同収納トレイを積み重ねてなる本発明の収納装置の断面図である。
【００３１】
図３（ａ）は本発明の第２の収納トレイの平面図、図３（ｂ）は同収納トレイの図３（ａ）におけるＺ´−Ｚ´断面図、図３（ｃ）（ｄ）は同収納トレイを積み重ねてなる本発明の収納装置の断面図である。
【００３２】
図４（ａ）、（ｂ）、（ｃ）は第１の収納トレイと第２の収納トレイとにより構成される本発明の収納装置の断面図である。
図５（ａ）、（ｂ）は第１の収納トレイと第２の収納トレイとにより構成される別の本発明の収納装置の断面図である。
【００３３】
各断面図において断面部分を太線で示した。また各断面図において図示を簡略にするために収納トレイの最外周の線を省略した。
図１に示す第１の収納トレイ１は、ソフトトレイとして構成されており、従来より行われているように、ポリスチレン等のプラスチックの平板を高温にて軟化させた状態で、平板の片側と型との間を真空引きすることにより型に押し当て、折り曲げ成形する真空成形法によって製造される。このため第１の収納トレイ１はソフトトレイに特有の形状を有しており、裏面形状は主面形状に相似し、板厚分だけずれている。ただし第１の収納トレイ１を同様の凹凸形状を持ったハードトレイとして構成してもよい。
【００３４】
この第１の収納トレイ１には、収納台２を持った収納部３が縦横に配列して４個形成されている。収納台２は、収納対象物に対応してほぼ矩形とされていて、収納対象物を支持する上面はトレイ厚のほぼ半分の位置にある。
【００３５】
図中の右上領域と左下領域に形成された収納部３は、トレイ厚み方向に沿うトレイ中心軸に対して対称な形状を有しており、収納台２の互いに対角をなす一対のコーナー（中心軸寄りのコーナーとその対角のコーナー）の外周は収納台２よりも突出した凸部４とされ、もう一対のコーナーの外周は収納台２よりも窪んだ凹部５とされている。
【００３６】
図中の右下領域と左上領域に形成された収納部３は、トレイ厚み方向に沿うトレイ中心軸に対して対称な形状を有しており、収納台２の互いに対角をなす一対のコーナー（中心軸寄りのコーナーとその対角のコーナー）の外周は収納台２よりも窪んだ凹部５とされ、もう一対のコーナーの外周は収納台２よりも突出した凸部４とされている。
【００３７】
各収納部３において、収納台２を囲んだ凸部４と凹部５とは収納台２の上面に対して上下左右反転して配置されている。つまり収納台２を囲んだ凸部４と凹部５とは、収納台２の上面に対して対称に突出し、窪み、かつ収納台２の上面に垂直な平面（この場合、収納台２の各辺の中央を通る２つの平面）に対して左右対称、上下対称に配置されている。
【００３８】
各凸部４は同一高さであり、各凹部５は同一深さである。隣り合った凸部４どうし、凹部５どうし、凸部４と凹部５は、コーナーを共有している。収納トレイ１の外周領域の凸部５は互いに連続している。収納トレイ１の外周縁部は斜め下方に折れ曲がっている。
【００３９】
各収納部３において、凸部４と凹部５の境界は収納台２の各辺の中央に配置されている。収納台２，凸部４，凹部５の境界部分は傾斜面とされている。
収納台２の端部の位置（傾斜面との境界線の位置）は、凸部４が外周に形成された一対のコーナーにおいては、収納対象物たる矩形の電子部品６の外寸よりも幾分大きくなるように設定され、凹部５が外周に形成されたもう一対のコーナーにおいては、電子部品６の外寸よりも幾分小さくなるように設定されている。
【００４０】
収納台２の中央には円錐台状の凹部２ａが形成されている。この収納台２内の凹部２ａは収納台２の外周の凹部５よりも裏面が下位になるように深さ設定されている（後述する図７に拡大図示する）。
【００４１】
この第１の収納トレイ１においては、図１（ａ）〜（ｄ）に示すように、電子部品６は各収納部３の収納台４に載置されて収納される。
図２（ａ）（ｂ）に示すように、第１の収納トレイ１を積み重ねた収納装置においては、上述したように、上段のトレイ１の裏面の凹凸が下段のトレイ１の主面の凹凸に相似していて且つ板厚分だけずれた形状であるため、また収納台２，凸部４，凹部５の境界が傾斜面であるため、上下段のトレイ１の凸部４どうし，凹部５どうしが重なり合い、上段のトレイ１の収納台２の凹部２ａの裏面が下段のトレイ１の収納台２に載置された電子部品６を押さえる。
【００４２】
図３に示す第２の収納トレイ１は、上記した第１の収納トレイ１と同様のソフトトレイとして構成されているが、第１の収納トレイ１と鏡対称の形状である。
具体的には、第２の収納トレイ１１においては、図中の右上領域と左下領域に形成された収納部１３は、トレイ厚み方向に沿うトレイ中心軸に対して対称な形状を有しており、収納台１２の互いに対角をなす一対のコーナー（中心軸寄りのコーナーとその対角のコーナー）の外周は収納台１２よりも突出した凸部１４とされ、もう一対のコーナーの外周は収納台１２よりも窪んだ凹部１５とされている。
【００４３】
図中の右下領域と左上領域に形成された収納部１３は、トレイ厚み方向に沿うトレイ中心軸に対して対称な形状を有しており、収納台１２の互いに対角をなす一対のコーナー（中心軸寄りのコーナーとその対角のコーナー）の外周は収納台１２よりも窪んだ凹部１５とされ、もう一対のコーナーの外周は収納台１２よりも突出した凸部１４とされている。
【００４４】
各凸部１４は同一高さであり、各凹部１５は同一深さである。隣り合った凸部１４どうし、凹部１５どうし、凸部１４と凹部１５は、コーナーを共有している。収納トレイ１１の外周領域の凸部１４は互いに連続している。収納トレイ１１の外周縁部は斜め上方に折れ曲がっている。
【００４５】
各収納部１３において、凸部１４と凹部１５の境界は収納台１２の各辺の中央に配置されている。収納台１２，凸部１４，凹部１５の境界部分は傾斜面とされている。
収納台１２の端部の位置（傾斜面との境界線の位置）は、凸部１４が外周に形成された一対のコーナーにおいては収納対象物たる矩形の電子部品６の外形よりも幾分大きくなるように設定され、凹部１５が外周に形成されたもう一対のコーナーにおいては、電子部品１６の外形よりも幾分小さくなるように設定されている。
【００４６】
収納台１２の中央には円錐台状の凹部１２ａが形成されている。この収納台１２内の凹部１２ａは、収納台１２の外周の凹部１５よりも裏面が下位になるように深さ設定されている。
【００４７】
この第２の収納トレイ１１においては、図３（ａ）（ｂ）に示すように、電子部品６は各収納部１３の収納台１２に載置されて収納される。
図３（ｃ）（ｄ）に示すように、第２の収納トレイ１１を積み重ねた収納装置においては、上述したように、上段のトレイ１１の裏面の凹凸が下段のトレイ１１の主面の凹凸に相似していて且つ板厚分だけずれた形状であるため、また収納台１２，凸部１４，凹部１５の境界が傾斜面であるため、上下段のトレイ１１の凸部１４どうし，凹部１５どうしが重なり合い、上段のトレイ１１の収納台１２の凹部１２ａの裏面が下段のトレイ１１の収納台１２に載置された電子部品６を押える。
【００４８】
図４（ａ）に示すように、第１の収納トレイ１と第２の収納トレイ１１とを２個一組として収納装置として用いることもできる。この場合、上記したように第１の収納トレイ１１と第２の収納トレイ１２とがほぼ鏡対称の形状であるため、上下段のトレイ１１の凸部１４，凹部１５と第１の収納トレイ１の凸部４，凹部５とが重なり合い、収納台２，収納台１２間に電子部品６が挟み込まれる。２個一組の収納トレイ１，１１を複数組積み重ねて収納装置としてもよい。
【００４９】
図４（ｂ）は第１の収納トレイ１の収納台２上に電子部品６が載った状態である。この状態から収納装置を上下反転させると、図４（ｃ）に示すように、第２の収納トレイ１１の収納台１２上に電子部品６が載った状態となる。つまり、電子部品６を表裏いずれの面が上向きになる方向にも一括で自由に収納方向を変えることができ、それに伴って電子部品６を第１の収納トレイ１，第２の収納トレイ１１間で移載することが可能である。
【００５０】
図５（ａ）（ｂ）に示すように、第１の収納トレイ１と第２の収納トレイ１１とを混合して積み重ねて収納装置として用いることもできる。
図６は第１の収納トレイ１の変形例を示し、図中の（ａ）は同収納トレイ１の平面図、（ｂ）（ｃ）はそれぞれ同収納トレイを積み重ねてなる収納装置の断面図を示す。
【００５１】
この第１の収納トレイ１では、収納台２内の凹部２ａの底部に貫通穴１７を形成している。これにより、電子部品６を上下段のトレイ間に収納して一括して移載する際に、貫通穴１７が空気穴の役目を果たし、電子部品６がトレイに張り付くことがなくなる。また、電子部品６を電気検査したり、実装したりする際に、電子部品６の有無を判別するセンサーの光を通す役目を果たす。第２の収納トレイ１１の収納台１２内の凹部１２ａに同様の貫通穴を形成してもよい。
【００５２】
なお貫通穴１７は収納台２（凹部２ａ）の裏面側から主面側に向けて打ち抜かれる。第１の収納トレイ１の積み重ね時に凹部２ａの裏面が電子部品６を押さえるので、貫通穴１７の形成時のバリが電子部品６に接触して電子部品６にダメージを与えるのを回避するためである。
【００５３】
図７に示したように、凹部２ａ内に凹部２ａの深さよりも高さ寸法が小さい凸部１８を形成し、この凸部１８の先端に貫通穴１７を形成するのも望ましい。これによれば、収納トレイを重ねても貫通穴１７の部分が電子部品６に接触することがないため、貫通穴１７の形成時にバリが発生しても電子部品６を傷つけることはない。
【００５４】
ただし、形成後にやすり等でバリを除去する方法を用いる場合、あるいはバリによる電子部品６のダメージが問題ない程度であるか、もしくはバリによっては電子部品６のダメージが生じ難い場合には、収納台２に凹部２ａを形成することなく、直接に収納台２に貫通穴を設けてもよい（図示省略）。
【００５５】
図８は第１の収納トレイ１の他の変形例を示し、図中の（ａ）（ｂ）はそれぞれ同収納トレイ１の平面図および断面図、（ｃ）（ｄ）はそれぞれ同収納トレイを積み重ねてなる収納装置の断面図を示す。
【００５６】
この第１の収納トレイ１の収納台２には上述した凹部２ａを設けていない。この第１の収納トレイ１を同一方向を向けて積み重ねた収納装置においても、上述したように、上段のトレイ１の裏面の凹凸が下段のトレイ１の主面の凹凸に相似していて且つ板厚分だけずれた形状であるため、また収納台２，凸部４，凹部５の境界が傾斜面であるため、上下段のトレイ１の凸部４どうし，凹部５どうしが重なり合い、上段のトレイ１の収納台２の凹部２ａの裏面と下段のトレイ１の上面との間に電子部品６が収納される。図８（ｃ）は、電子部品６が大きい場合にトレイ１どうしの重なりが小さくなり、図８（ｄ）は電子部品６が小さい場合にトレイ１どうしの重なりが大きくなることを示す。第２の収納トレイ１１を同様に形成しても同様の効果が得られる。
【００５７】
以下、第１の収納トレイ１、第２の収納トレイ１１の上述した従来のトレイと比較しての利点を説明する。
１）第１の収納トレイ１，第２の収納トレイ１１はそれぞれ、主面と裏面との凹凸形状が逆であるため、軽量、安価なソフトトレイとして構成できる。
【００５８】
２）第１の収納トレイ１、第２の収納トレイ１１のそれぞれにおいて、また収納部３、１３のそれぞれにおいて、収納台２，１２の一対の対角の外周に凸部４を形成し、それに隣接した他の一対の対角の外周に凹部５を形成していて、収納台２，１２の外周の凸凹形状が全く同じであるため、第１の収納トレイ１、第２の収納トレイ１１のいずれに対しても、電子部品６を同じ方向から同じ方法で設置および取出しできる。
【００５９】
またこの場合、収納台２，１２の外周には、収納台２，１２の各辺につき凸部４，凹部５の境界または凸部１４，凹部１５の境界が１箇所あるだけで、凸凹形状がシンプルであるため、設置・取出し用のクランプ爪が入るスペースとなる凹部５，１５のサイズを大きく取ることができる。
【００６０】
よって、第１の収納トレイ１、第２の収納トレイ１１の設計の手間を大幅に低減できるだけでなく、設置・取出し用のピックアップ設備の構成、機構がシンプルですみ、低コスト化を実現できる。
【００６１】
収納台２，１２のいずれに電子部品６が載った状態でも、電子部品６の２つのコーナー部に凸部４あるいは凸部１４が当たるため、電子部品６のガタツキを最小にできる構造でもある。
【００６２】
３）第１の収納トレイ１、第２の収納トレイ１１のそれぞれにおいて、また収納部３、１３のそれぞれにおいて、凸部４，１４と凹部５，１５を端部を共有して収納台２，１２を囲んで形成しているので、両者を合わせた際に壁面が完全に一体化して製品を囲むことができ、安定して製品を収納できる。また収納トレイに最密に製品を収納できる。
【００６３】
４）収納台２，凸部４，凹部５の境界、および、収納台１２，凸部１４，凹部１５の境界を全て傾斜面としたため、第１の収納トレイ１どうし、第２の収納トレイ１１どうし、第１の収納トレイ１と第２の収納トレイ１１との組み合わせのいずれでも、積み重ね時に上下の収納トレイを互いの凹凸形状が噛み合う状態で重ね合わせることができ、省スペースを図ることができる。
【００６４】
各収納部３，１３における収納台２，１２に臨んだ凸部４，１４の内周も傾斜面となるため、設置時などに電子部品６が収納部３，１３内で多少踊っても、常に収納台２，１２上に適正配置することができる。
【００６５】
第１の収納トレイ１と第２の収納トレイ１１を積み重ねる場合も、上下のいずれの収納トレイ１，１１にも凸部４，１４の壁面として傾斜面があり、そのクロスポイントに収納台２，１２の平面が配置されていることになるので、電子部品６の収納が安定するとともに、上下のトレイ１，１１間を電子部品６を安定よく移動させることができる。
【００６６】
傾斜面の傾斜角を大きくすると収納トレイどうしの重ね合わせがよくなるが、これは収納トレイ１，１１の外寸を一定にする場合には凸部４，１４が低くなることを意味し、電子部品６が収納部３，１３から飛び出しやすくなる。傾斜角を小さくすると収納トレイ１，１１の重ね合わせが悪くなり、上下の収納トレイ間に電子部品を挟み込めなくなる。このため傾斜角は１０〜２０°程度が適当である。しかし壁面が傾斜面でない構成も可能である。
【００６７】
５）収納台２，凸部４，凹部５の境界、および、収納台１２，凸部１４，凹部１５の境界を全て傾斜面としながら、さらに収納台２，１２の端部の位置を、凸部４，１４が外周に形成された一対の対角において電子部品６の外寸よりも幾分大きくなるように設定し、凹部５、１５が外周に形成されたもう一対の対角において電子部品６の外寸よりも幾分小さくなるように設定したため、電子部品６の外周縁部を把持して設置・取出しをスムーズに行うことができ、クランプ爪が収納台２，１２に当たることもない。電子部品６の２つのコーナー部に凸部４あるいは凸部１４が当たることと併せて、電子部品６の収納時の位置規制と設置・取出し時の把持の確実性、容易性を両立させ得る構造である。
【００６８】
６）収納台２、１２内に凹部２ａ，１２ａを形成しているため、ＣＯＢ部品のようにチップコート領域等の凸部がある場合はその凸部を凹部２ａ，１２ａ内に収容することができ、合理的である。また収納トレイ１，１１を積み重ねたときに、凹部２ａ，１２ａの裏面で電子部品１０を押さえることができる。
【００６９】
また凹部２ａ，１２ａの深さを、その裏面が収納部３，１３の外周の凹部５，１５の裏面よりも下位になるように設定しているので、ソフトトレイに特有の問題、つまり裏面の凹凸は主面の凹凸に相似しながら板厚分だけ形状ずれが生じるため電子部品６が収納トレイ間に挟まる、という問題を防ぐことができる。
【００７０】
電子部品６が収納トレイ間に挟まるのは、凹凸形状どうしの噛み合いがきつくなって、収納トレイ１，１１を互いに分離しにくくなる現象と、上に重ねた収納トレイ１，１１の裏面の凹凸に電子部品６が挟まり込む現象とがある。後者の現象は、電子部品６のサイズが小さい場合に、電子部品６が収納部３内で回転するのを防ぐために電子部品６に対する凸部４の壁面の距離を小さくする必要があり、その際に起こりやすいのであるが、そのような電子部品６の挟まり込みに対して上記仕様が効果的である。
【００７１】
かかる電子部品６の挟まり込みは、電子部品６のサイズが十分大きくて、電子部品６と収納台２の周囲の凸部４の壁面との距離が十分ある場合には起き難く、裏表の板厚分だけの形状ずれは問題にならないので、図８に示す収納トレイ１のように、収納部３の表裏に収納の機能を持たせる構造が可能である。
【００７２】
以上のように、第１の収納トレイ１，第２の収納トレイ１１を、それぞれの主面と裏面を逆の凹凸形状とし、また互いにほぼ鏡対称の形状としたことにより、第１の収納トレイ１のみ積み重ねる、あるいは第２の収納トレイ１１のみ積み重ねる、あるいは第１の収納トレイ１と第２の収納トレイ１１とを混合して積み重ねる、あるいは収納トレイ１と第２の収納トレイ１１とを２個１組として複数組積み重ねるなど、第１の収納トレイ１，第２の収納トレイ１１を自由に積み重ねて、電子部品６を収納し、梱包することが可能となった。
【００７３】
第１の収納トレイ１，第２の収納トレイ１１を２個１組の収納装置として用いる場合は、電子部品６を主面・裏面のいずれの面が上向きになる方向にも一括で自由に収納方向を変えることができ、それに伴って第１の収納トレイ１，第２の収納トレイ１１間で移載することができる。
【００７４】
このように電子部品６を一括で自由に収納方向を変えて移載できる収納トレイについて考えると、ハードトレイとして構成する場合は従来例で説明したように１種類の収納トレイでよいのに対し、ソフトトレイとして構成する場合は、第１の収納トレイ１，第２の収納トレイ１１のような２種類の収納トレイが必要となる。
【００７５】
しかしソフトトレイの金型はハードトレイの金型の１／１０以下の期間で製造することができ、開発期間も短く、またソフトトレイの単価はハ−ドトレイの単価の１／１０以下であるなど、ソフトトレイの利点も多い。
【００７６】
２種類の収納トレイを２個１組として積み重ねて梱包する場合には、１種類のハードトレイを積み重ねて梱包する場合に比べてトレイ枚数が２倍になることから、梱包単位の総厚が大きくなると予想されがちであるが、第１の収納トレイ１，第２の収納トレイ１１は上述したように重ね合わせ可能であるため、梱包単位の総厚を従来のハードトレイの梱包単位と同等にすることが可能である。
【００７７】
なお、上記した実施の形態では、説明を簡略化するために、第１の収納トレイ１，第２の収納トレイ１１を鏡対称として、収納部３，１３の収納台２，１２、凸部４，１４、凹部５，１５などの高さ、形状、寸法を全く同一にしたが、必ずしも全く同一でなくともよく、本発明の設計思想の範囲内であれば、収納対象の電子部品６や設備の都合で適宜アレンジしても同様の効果を得ることは可能である。
【００７８】
また上記した実施の形態では、説明を簡略化のために、最もシンプルな形状である矩形の電子部品６を収納すべく第１の収納トレイ１，第２の収納トレイ１１を構成したが、電子部品６の形状が円形、多角形、左右非対称の場合も本発明構成を適用できる。
【００７９】
収納対象の電子部品６としては、ＣＯＢ、ＱＦＰ、ＢＧＡ、ＬＧＡ、ＣＳＰ等のパッケージ半導体装置など、多種多様の半導体電子部品が挙げられるが、半導体パッケージ以外の電子部品、さらには電子部品を搭載した製品などの種々の製品も、本発明の収納トレイ、収納装置に収納できる。
【産業上の利用可能性】
【００８０】
本発明の収納トレイは、同一種どうしあるいは異種混合して積み重ねてトレイ間に対象物を収納可能であり、半導体パッケージ等の電子部品をはじめとする種々の部品や製品の収納装置として用いて、様々な用途に利用できる。
【図面の簡単な説明】
【００８１】
【図１】本発明の第１の収納トレイの構成図
【図２】第１の収納トレイを積み重ねてなる収納装置の断面図
【図３】本発明の第２の収納トレイの構成図および同収納トレイを積み重ねてなる収納装置の断面図
【図４】第１の収納トレイと第２の収納トレイとを積み重ねてなる収納装置の断面図
【図５】第１の収納トレイと第２の収納トレイとを積み重ねてなる別の収納装置の断面図
【図６】第１の収納トレイの変形例の構成図
【図７】第１の収納トレイの他の変形例の構成図
【図８】第１の収納トレイのさらに他の変形例の構成図
【図９】従来の収納トレイの構成図
【符号の説明】
【００８２】
１    第１の収納トレイ
２    収納台
2a    凹部
３    収納部
４    凸部
５    凹部
６    電子部品
11    第２の収納トレイ
12    収納台
12a   凹部
13    収納部
14    凸部
15    凹部
17    貫通穴
18    凸部
【図１】
2006076617.tif 000003
【図２】
2006076617.tif 000004
【図３】
2006076617.tif 000005
【図４】
2006076617.tif 000006
【図５】
2006076617.tif 000007
【図６】
2006076617.tif 000008
【図７】
2006076617.tif 000009
【図８】
2006076617.tif 000010
【図９】
2006076617.tif 000011